(57)【要約】  【課題】小雨時などでワイパーを１回だけ往復動させたい場合に操作レバーから手を離すことなく、効率的な作業操作を維持できるようにする。  【解決手段】コンソールパネル（又はモニター）１５近傍にワイパー１７を作動させるための主ワイパースイッチ１６が配設された建設機械のワイパー操作装置において、前記ワイパースイッチ１６とは別に、ワイパー１７を往復１回だけ作動させるための補助ワイパースイッチ１９を操作レバー１８に設ける。また、補助ワイパースイッチ１９を１回操作することにより、ワイパー１７が往復１回だけ作動するように構成した。【選択図】図４
2010105567.tif 000002
【特許請求の範囲】
【請求項１】
コンソールパネル又はモニター近傍にワイパースイッチが配設された建設機械のワイパー操作装置において、前記ワイパースイッチとは別に、ワイパーを往復１回だけ作動させる補助用のワイパースイッチを備え、該補助用のワイパースイッチは、運転席近傍に設置した操作レバーに設けられていることを特徴とする建設機械のワイパー操作装置。
【請求項２】
上記補助用のワイパースイッチは１回の操作により上記ワイパーを往復１回だけ作動させることを特徴とする請求項１記載の建設機械のワイパー操作装置。  
【発明の詳細な説明】
【技術分野】
【０００１】
本発明は建設機械のワイパー操作装置に関するものであり、特に、コンソールパネル等の近傍にワイパースイッチが配設された建設機械のワイパー操作装置に関するものである。
【背景技術】
【０００２】
従来、油圧ショベル等の建設機械は、ブーム先端部又はロアフレーム前部に掘削用の作業機を備え、作業時に、オペレータはキャビン内よりフロントウインドーを通して作業機の位置を監視しながら、運転席近傍に設置した操作レバーにより作業機を操作している。
【０００３】
しかし、雨天時にはフロントウインドーに水滴が付着するため、フロントウインドー前方の視界が悪くなる。そこで、作業に必要な前方の視界を確保すべく、ワイパースイッチによりワイパーを作動させることで、フロントウインドーに付着した水滴を拭き落としている。
【０００４】
図５は上記ワイパー操作装置の従来例を示す。同図において、１はフロントウインドー２に取り付けたワイパーであり、該ワイパー２はワイパー駆動モータ３により連続して作動される。更に、ワイパー駆動モータ３にはワイパー駆動回路４が接続されていると共に、該ワイパー駆動回路４にワイパースイッチ５が接続されている（例えば、特許文献１参照）。
【特許文献１】実開平４−２８１５９号公報
【発明の開示】
【発明が解決しようとする課題】
【０００５】
従来のワイパー操作装置によれば、図６に示すように、ワイパースイッチ５はコンソールパネル（又はモニター）６近傍の箇所、即ち、作業機用の操作レバー７から離れた箇所に配設されている。そして、オペレータがワイパースイッチ５を操作すると、前記ワイパー２は連続して往復作動するように構成されている。
【０００６】
ところで、例えば小雨がぱらつく時などのように、フロントウインドー２に付着する水滴が少ない場合には、オペレータはワイパー２を往復１回だけ作動したいことがある。しかし、このような場合でも、オペレータは作業中に操作レバー７から手を離して、ワイパースイッチ５を操作しなければならない。
【０００７】
しかも、ワイパー２を往復１回だけ作動させるためには、ワイパースイッチ５のオン操作とオフ操作の複数回行う必要がある。その結果、オペレータは操作レバー７からその都度手を離して、ワイパースイッチ５を複数回操作することが非常に煩わしく、操作レバー７の作業操作が妨げられて作業効率が低下するという問題があった。
【０００８】
そこで、小雨時などでワイパーを１回だけ往復動させたい場合に操作レバーから手を離すことなく、効率的な作業操作を維持できるようにするために解決すべき技術的課題が生じてくるのであり、本発明はこの課題を解決することを目的とする。
【課題を解決するための手段】
【０００９】
本発明は上記の目的を達成するために提案されたものであり、請求項１記載の発明は、コンソールパネル又はモニター近傍にワイパースイッチが配設された建設機械のワイパー操作装置において、前記ワイパースイッチとは別に、ワイパーを往復１回だけ作動させる
補助用のワイパースイッチを備え、該補助用のワイパースイッチは、運転席近傍に設置した操作レバーに設けられていることを特徴とする建設機械のワイパー操作装置を提供する。
【００１０】
この構成によれば、補助用のワイパースイッチを操作レバーに設けたので、小雨などの時には、補助用のワイパースイッチを操作することにより、ワイパーが往復１回だけ作動して、フロントウインドーに付着した水滴等が清浄に拭き落とされる。この場合、オペレータは操作レバーから手を離すことなく補助用のワイパースイッチを操作できる。
【００１１】
請求項２記載の発明は、上記補助用のワイパースイッチは１回の操作により上記ワイパーを往復１回だけ作動させることを特徴とする請求項１記載の建設機械のワイパー操作装置を提供する。
【００１２】
この構成によれば、ワイパーを往復１回だけ作動させるためには、補助用のワイパースイッチを１回だけ操作すればよい。
【発明の効果】
【００１３】
請求項１記載の発明によれば、小雨の時などのようにワイパーを往復１回だけ作動したい場合、オペレータは、操作レバーに設けた補助用のワイパースイッチを操作すればよいので、従来例のように操作レバーからその都度手を離す必要がなく、操作レバーによる作業操作を効率良く行うことができる。
【００１４】
請求項２記載の発明によれば、ワイパーを往復１回だけ作動させるためには、補助用のワイパースイッチの操作は１回で済むので、請求項１記載の発明の効果に加えて、複数回のスイッチ操作が必要であった従来例に比べて、スイッチ操作を一層簡便かつ迅速に行うことができる。
【発明を実施するための最良の形態】
【００１５】
本発明は、小雨時などにおいてワイパーを１回だけ往復動させたい場合に操作レバーから手を離すことなく、効率的な作業操作を維持できるようにするという目的を達成するために、コンソールパネル又はモニター近傍にワイパースイッチが配設された建設機械のワイパー操作装置において、前記ワイパースイッチとは別に、ワイパーを往復１回だけ作動させる補助用のワイパースイッチを備え、該補助用のワイパースイッチは、運転席近傍に設置した操作レバーに設けられていることにより実現した。
【実施例】
【００１６】
以下、本発明に係る好適な一実施例を図１乃至図４に従って説明する。図１は本実施例に係る建設機械としての油圧ショベルを示す側面図、図２はワイパー操作装置が配設されたキャビン内を示す斜視図、図３は補助用のワイパースイッチが設けられた操作レバーを示す斜視図、図４はワイパー操作装置の構成例を示すブロック図である。
【００１７】
図１において、油圧ショベル１０は、下部走行体１１上に上部旋回体１２が旋回自在に搭載されている。また、該上部旋回体１２の前方中央部にはブーム及びアーム等から成る作業機１３が上下回動自在に取り付けられている。更に、上部旋回体１２の前方一側部にはキャビン１４が設けられている。
【００１８】
前記キャビン１４内には、図２に示すように、コンソールパネル（又はモニター）１５が設けられ、該コンソールパネル１５の近傍にはワイパー作動用スイッチ（以下「主ワイパースイッチ」という。）１６が設置されている。そして、主ワイパースイッチ１６をオン操作すると、図３に示すワイパー１７が多数回連続して往復動作するように構成されて
いる。
【００１９】
又、キャビン１４内の運転席９近傍には、前記作業機１３を操作するための操作レバー１８が設置され、該操作レバー１８には、上記主ワイパースイッチ１６とは別に、図３に示すように、補助用のワイパースイッチ（以下「補助ワイパースイッチ」という。）１９が設けられている。そして、補助ワイパースイッチ１９を１回操作すると、ワイパー１７が往復１回だけ作動するように構成されている。
【００２０】
次に、本発明に係るワイパー操作装置の構成例を図４に基づいて説明する。同図に示すように、フロントウインドー２０にはワイパー１７が左右回動可能に取り付けられている。又、ワイパー１７の下端部にはワイパー駆動モータ２１が連結されている。更に、ワイパー駆動モータ２１にはワイパー駆動回路２２が接続されている。そして、ワイパー駆動回路２２には主ワイパースイッチ１６及び補助ワイパースイッチ１９が互いに独立に接続されている。
【００２１】
従って、雨天時にフロントウインドー２０に水滴が付着して、前方の視界が低下した場合には、主ワイパースイッチ１６をオン操作することにより、ワイパー１７が多数回連続して往復作動する。依って、フロントウインドー２０に付着している水滴は、ワイパー１７の連続作動により拭き落とされるので、フロントウインドー２０を通じた前方の視界が良好に確保される。
【００２２】
一方、小雨がぱらつく程度の時のように、フロントウインドー２０に付着する水滴が少ない場合には、オペレータは主ワイパースイッチ１６に代えて、操作レバー１８に設けた補助ワイパースイッチ１９を１回だけ操作すればよい。これにより、フロントウインドー２０に付着している少量の水滴は、ワイパー１７の往復１回の作動により拭き落とされる。
【００２３】
以上の如く本発明によると、ワイパー１７を往復１回だけ作動させる補助ワイパースイッチ１９を操作レバー１８に設けたので、例えば小雨の時には、補助ワイパースイッチ１９を操作することにより、フロントウインドー２０に付着した水滴を清浄に拭き落として、良好な前方視界を常に確保することができる。
【００２４】
斯くして、補助ワイパースイッチ１９を操作する際に、オペレータは操作レバー１８からその都度手を離す必要がないので、操作レバー１８を円滑かつ快適に操作でき、効率的な作業操作が安定して維持される。
【００２５】
また、ワイパー１７を往復１回だけ作動させるために、従来例では少なくともオン操作とオフ操作の２回以上行う必要があったが、本発明の補助ワイパースイッチ１９は１回だけ操作すればよいので、スイッチ操作を一層簡便かつ迅速に行うことができる。
【００２６】
尚、本発明は、本発明の精神を逸脱しない限り種々の改変を為すことができ、そして、本発明が該改変されたものに及ぶことは当然である。
【図面の簡単な説明】
【００２７】
【図１】本発明の一実施例を示し、建設機械である油圧ショベルの側面図。
【図２】一実施例に係るワイパー操作装置が配設されたキャビン内を示す斜視図。
【図３】一実施例に係る補助ワイパースイッチが設けられた操作レバーを示す斜視図。
【図４】一実施例に係るワイパー操作装置の構成例を示すブロック図。
【図５】従来例に係るワイパー操作装置が設けられたキャビン内を示す斜視図。
【図６】従来例に係るワイパー操作装置の構成例を示すブロック図。
【符号の説明】
【００２８】
１０  油圧ショベル（建設機械）
１３  作業機
１４  キャビン
１５  コンソールパネル（又はモニター）
１６  主ワイパースイッチ
１７  ワイパー
１８  操作レバー
１９  補助ワイパースイッチ
２０  フロントウインドー
２１  ワイパー駆動モータ
【図１】
2010105567.tif 000003
【図２】
2010105567.tif 000004
【図３】
2010105567.tif 000005
【図４】
2010105567.tif 000006
【図５】
2010105567.tif 000007
【図６】
2010105567.tif 000008